(57)【要約】【課題】土壌中に極めて多量に貯えられている炭素、所謂、土の炭素を粉末化して得られる粉末炭素をベースとするフィルター素材を供するものであり、それによって、各種汚水の浄化（汚水中の重金属の吸着処理、濁度の除去、脱臭）、並びに、室内あるいは車内などの空気の浄化、マイナスイオンの発生などに極めて効果的に作用する流体浄化のためのフィルター用素材を提供すること。【解決手段】土壌中に貯えられている炭素を粉末化して得られる粉末炭素を、発泡性プラスチックペレットとともに発泡処理して、気泡性に富んだスポンジ状の組織体１に成形し、あるいは、当該粉末炭素を、不織布の加工処理過程において混入し、不織布組織体２に成形してなる流体浄化のためのフィルター用素材であり、且つ、前記粉末炭素に放射性鉱物を加えたことを特徴とするものである。【選択図】図１
2006110510.tif 000002
【特許請求の範囲】
【請求項１】
土壌中に貯えられている炭素を粉末化して得られる粉末炭素を、発泡性プラスチックペレットとともに発泡処理して、気泡性に富んだスポンジ状の組織体に成形してなることを特徴とする流体浄化のためのフィルター用素材。
【請求項２】
前記粉末炭素に放射性鉱物を加えたことを特徴とする請求項１に記載の流体浄化のためのフィルター用素材。
【請求項３】
前記スポンジ状の組織体をブロック状に成形してなることを特徴とする請求項１あるいは請求項２に記載の流体浄化のためのフィルター用素材。
【請求項４】
前記スポンジ状の組織体をプレート状に成形してなることを特徴とする請求項１あるいは請求項２に記載の流体浄化のためのフィルター用素材。
【請求項５】
土壌中に貯えられている炭素を粉末化して得られる粉末炭素を、不織布の加工処理過程において混入し、不織布組織体に成形してなることを特徴とする流体浄化のためのフィルター用素材。
【請求項６】
前記粉末炭素に放射性鉱物を加えたことを特徴とする請求項５に記載の流体浄化のためのフィルター用素材。
【請求項７】
前記不織布組織体をブロック状に成形してなることを特徴とする請求項５あるいは請求項６に記載の流体浄化のためのフィルター用素材。
【請求項８】
前記不織布組織体をプレート状に成形してなることを特徴とする請求項５あるいは請求項６に記載の流体浄化のためのフィルター用素材。
【発明の詳細な説明】
【技術分野】
【０００１】
この発明は、汚水浄化並びに空気浄化を含む流体浄化のためのフィルター用素材に関するものであり、特に、各種汚水の浄化（汚水中の重金属の吸着処理、濁度の除去、脱臭）、並びに、室内あるいは車内などの空気の浄化、マイナスイオンの発生などに効果のあるフィルターのための素材に関するものである。
【背景技術】
【０００２】
従来、例えば、汚水を浄化する処理法としては、微生物による生物学的処理と、薬剤などによる化学的処理を施し、活性炭処理並びにフィルタ−処理を経て浄化放流している。戦後６０年余、上水、下水、工業、産業、畜産などあらゆる分野において、上記するような処理法によって汚水の浄化が行われてきた結果、河川並びに湖沼の現況は、環境ホルモンの破壊という重大な問題に直面し、著しい速度で更なる汚染が進行してきている。
【０００３】
このように、上水、下水、工業、産業、畜産など全ての汚水処理が、生物学的処理と薬剤などの有機物処理であるために、汚水中の重金属の除去が極めて困難であり、更には、生物処理であるために、微生物の死骸が汚泥になってしまい、この汚泥から、例えば、アンモニアガスなどの異臭ガスが発生し、周囲の生活環境を破壊している。これらの異臭は、活性炭で処理されてきているため、莫大な資金が投入されているのが現況である。
【０００４】
活性炭は、脱臭機能を有するものであり、活性炭を媒体とする脱臭フィルターとしては、例えば、特許文献１および特許文献２に記載のような技術内容のものが知られており、提供されてきている。まず、特許文献１に記載のものは、吸着材の初期性能を低下させることなく、充分な触媒作用を発揮させることができ、優れた初期脱臭性能を長期に亘って維持することができる脱臭フィルターを提供するものであり、バインダーにより保持された吸着材５を含む保持用不織布２と、この保持用不織布を両側から挟持する除塵用不織布３および４からなる３層積層構造の脱臭フィルターにおいて、吸着ガスを処理するための触媒を吸着材以外の部分に、例えば、バインダーに担持させる技術内容が開示されている。
【０００５】
一方、特許文献２に記載のものは、電気的設備を必要とせず、簡単に換気と脱臭ができるクローゼットの換気脱臭構造を提供しようとするものであり、クローゼット１の開口部２に通気孔４を形成した折り戸を設けると共に、折り戸の裏側面の通気孔４と対応する位置に活性炭フィルター７を取り替え可能に取り付けた構造の技術内容が開示されている。
【０００６】
この特許文献１および特許文献２に記載のものは、いずれも、吸着材５として活性炭を用いる技術内容が開示されているものにすぎない。活性炭とは、木質系原料をベースにガス割賦法により生産した水蒸気炭、薬品割賦法により生産した塩化亜鉛炭などの粉末活性炭、あるいは、石炭、ヤシ殻、木質系原料をベースに、これらを粒状化した粒状活性炭などとして提供されている。上記するように、活性炭は、石炭、ヤシ殻、木質系原料をベースとするものであり、資源の面からも多くの問題を有しており、莫大な資金が投入されてきた要因となっている。
【０００７】
【特許文献１】特開２００２−１７８３２号公報（要約、請求項１２、図１）
【特許文献２】特開平１１−２０６４８３号公報（要約、図１、図２）
【発明の開示】
【発明が解決しようとする課題】
【０００８】
そこで、この発明では、上記する従来技術の問題点を解消すべくなしたものであって、特に重要な要素は、土壌中に極めて多量に貯えられている炭素、所謂、土の炭素を粉末化して得られる粉末炭素をベースとするフィルター素材を提供するものであり、それによって、各種汚水の浄化（汚水中の重金属の吸着処理、濁度の除去、脱臭）、並びに、室内あるいは車内などの空気の浄化、マイナスイオンの発生などに極めて効果的に作用する流体浄化のためのフィルター用素材を提供しようとするものである。
【課題を解決するための手段】
【０００９】
この発明は、上記する目的を達成するにあたって、請求項１に記載の発明は、土壌中に貯えられている炭素を粉末化して得られる粉末炭素を、発泡性プラスチックペレットとともに発泡処理して、気泡性に富んだスポンジ状の組織体に成形してなることを特徴とする流体浄化のためのフィルター用素材を構成する。
【００１０】
さらに、この発明において請求項２に記載の発明は、請求項１に記載の流体浄化のためのフィルター用素材であって、前記粉末炭素に放射性鉱物を加えたことを特徴とするものである。
【００１１】
さらに、この発明において請求項３に記載の発明は、請求項１あるいは請求項２に記載の流体浄化のためのフィルター用素材であって、前記スポンジ状の組織体をブロック状に成形してなることを特徴とするものである。
【００１２】
さらに、この発明において請求項４に記載の発明は、請求項１あるいは請求項２に記載の流体浄化のためのフィルター用素材であって、前記スポンジ状の組織体をプレート状に成形してなることを特徴とするものである。
【００１３】
さらにまた、この発明において請求項５に記載の発明は、土壌中に貯えられている炭素を粉末化して得られる粉末炭素を、不織布の加工処理過程において混入し、不織布組織体に成形してなることを特徴とする流体浄化のためのフィルター用素材を構成するものでもある。
【００１４】
さらに、この発明において請求項６に記載の発明は、請求項５に記載の流体浄化のためのフィルター用素材であって、前記粉末炭素に放射性鉱物を加えたことを特徴とするものである。
【００１５】
さらに、この発明において請求項７に記載の発明は、請求項５あるいは請求項６に記載の流体浄化のためのフィルター用素材であって、前記不織布組織体をブロック状に成形してなることを特徴とするものである。
【００１６】
さらに、この発明において請求項８に記載の発明は、請求項５あるいは請求項６に記載の流体浄化のためのフィルター用素材であって、前記不織布組織体をプレート状に成形してなることを特徴とするである。
【発明の効果】
【００１７】
この発明になる流体浄化のためのフィルター用素材によれば、土壌中に極めて多量に貯えられている炭素、所謂、土の炭素を粉末化して得られる粉末炭素をベースとして構成され、一例においては、当該粉末炭素を発泡性プラスチックペレットとともに発泡処理して、気泡性に富んだスポンジ状の組織体に成形し、他例においては、当該粉末炭素を不織布の加工処理過程において混入し、不織布組織体に成形してなるものであり、これらによって、汚水の浄化（汚水中の重金属の吸着処理、濁度の除去、脱臭）、並びに、室内あるいは車内などの空気の浄化、マイナスイオンの発生などに極めて効果的に作用する流体浄化のためのフィルター用素材を供するもので、経済的にも極めて有利であり、環境衛生的にも極めて有効に作用するものといえる。
【発明を実施するための最良の形態】
【００１８】
以下、この発明になる流体浄化のためのフィルター用素材について、図面に示す具体的な実施例に基づいて詳細に説明する。図１は、この発明になる流体浄化のためのフィルター用素材であって、図１Ａは、粉末炭素を発泡性プラスチックペレットとともに発泡処理して、気泡性に富んだスポンジ状の組織体に成形した例を示す概略的な断面図、図１Ｂは、粉末炭素を不織布の加工処理過程において混入し、不織布組織体に成形した例を示す概略的な断面図である。
【００１９】
一方、図２は、当該フィルター用素材によって形成されるフィルターの形態例を示すものであって、図２Ａは、これをブロック状に成形した例を示す概略的な斜視図、図２Ｂは、プレート状に成形した例を示す概略的な斜視図である。さらに、図３は、当該フィルター用素材によって形成されるフィルターの適用例を示す概略的な側断面図であり、図４は、当該フィルター用素材による第２の適用例を示す概略的な側断面図である。
【００２０】
この発明になる流体浄化のためのフィルター用素材ＦＭは、基本的には、土壌中に極めて多量に貯えられている炭素Ｃａ、所謂、土の炭素を粉末化して得られる粉末炭素をベースとして構成され、一例においては、当該粉末炭素を発泡性プラスチックペレットとともに発泡処理して、気泡性に富んだスポンジ状の組織体１として成形され、他例においては、当該粉末炭素を不織布の加工処理過程において混入して、不織布組織体２として成形されるものである。前記粉末炭素は、以下のようにして採取、加工、生成する。
（１）まず、炭素含有率（％）が極めて高い黒色土を採取し、これを篩装置にかけて異物を排除する。
（２）ふるい分けられた黒色土を硫酸で滅菌処理する。この場合、硫酸を用いることにより、土の中に含まれているアルミナを活性アルミニウムにかえることができる。
（３）しかる後、天日で乾燥させてから、所望の粒径になるよう粉末化する。
【００２１】
この発明において、土の炭素は、炭素含有率（％）が極めて高い黒色土と称する土壌中に存在する炭素であり、比重は０．６以下で、その炭素核の粒度は、
（１／１００億）ｍｍ〜（１／３００億）ｍｍと非常に微細であるため、膨大な内表面積を有し、可変性の電荷をもっている。この土の炭素は、その中に植物性炭素フェノール水酸基（−ＯＨ）と、動物性炭素カルボキシル基（−ＣＯＯＨ）とを含有しているため、汚水中の重金属あるいは臭気を吸収分解する能力を有している。また、この発明では、土の炭素に対して放射性鉱物Ｒａを加えた構成をも含むもので、当該放射性鉱物のアルファー線の射出と、炭素のもつ（−Ｈ）の複合作用によって、１ｍｍ立方当たり２万個のマイナスイオンを射出する。
【００２２】
この発明になる流体浄化のためのフィルター用素材は、汚水の浄化にあたって、汚水中の重金属の吸着処理、濁度の除去あるいは臭の吸着分解に作用し、室内あるいは車内などの空気の浄化、臭の吸着分解ならびにマイナスイオンの発生などの効果がある。
【００２３】
この発明になる流体浄化のためのフィルター用素材は、その適用例により、図２各図に示すような形態のものとして形成される。すなわち、図２Ａに示す例によれば、これをブロック状に成形したブロック状成形体３であって、厚み寸法が、０．５ｍｍ〜４００ｍｍ程度のものであり、角型、丸型あるいはこれらに類する各種立体形状のものとして形成される。一方、図２Ｂに示す例によれば、これをプレート状に形成したプレート状成形体４であって、厚み寸法が、０．５ｍｍ〜２００ｍｍ程度のものである。
【００２４】
上記するような構成でなるフィルター用素材を、図３に示すように浄化材ないしはフィルターとして適用した具体的な適用例に基づいて説明する。図３は、原水５を整水６に処理する装置であり、原水供給側に浄化材としてのブロック状成形体３を収容して、曝気口Ｓｅよりエアー曝気する複数の曝気槽７、８を備えており、その下流側にフィルターとしての複数枚のプレート状成形体４を収容してエアー曝気する曝気槽９を備えている。このような装置で、原水を整水処理した場合の臭気試験のための試験操作並びにその結果について例示する。
（１）臭気濃度検知測定容器は、測定する前に開放し、付属換気扇を約３分以上作動し、内部の残留臭気を完全に追い出す。
（２）反応容器の５００ミリリットルのビーカーを横にし、その中に臭気原液を入れ、その直後に臭気原液をラップフィルム（塩化ビニリデン）で密閉する。その後所定の反応時間を経過する。
（３）所定の反応時間経過後、臭気濃度検知測定容器内換気扇を完全に停止し、直ちにビーカーのラップフィルムを手早く取り除き、臭気原液を臭気濃度検知測定容器に入れ密閉する。
（４）臭気濃度検知測定容器内換気扇を作動し、約２分間経過後、検知管で臭気濃度を測定した。
その結果、臭気の要因となるアンモニアとメチルアミンについて、原水と処理水について比較した。アンモニアについては、原水では２３０ＰＰＭであったものが、処理水では１．０ＰＰＭ以下であり、メチルアミンについては、原水では３９．５ＰＰＭであったものが、処理水では０．５ＰＰＭ以下であった。
【００２５】
次いで、上記するような構成でなるフィルター用素材を、図４に示すように浄化材として適用した第２の具体的な適用例に基づいて説明する。図４は、原水１０を処理水１１に処理する装置であり、原水供給側に浄化材としてのブロック状成形体３を収容してエアー曝気する複数の曝気槽１２、１３を備えており、その下流側に沈殿槽１４を備えている。このような装置で、原水を処理した場合の各検査項目についての結果は、下記に示す通りのものであった。
検査項目              計量値          処理水        計量方法
ＣＯＤ     [mg/l]     3,900 PPM       17 PPM        JIS K 0102 17
ＢＯＤ     [mg/l]     2,900 PPM       ND            JIS K 0102 2132.3
大腸菌群数 [個/ml]    18000000 PPM    260 PPM   昭和37年厚生省建設省令 1号
全リン     [mg/l]     240 PPM         0.5 PPM       JIS K 0102 46.3
全窒素     [mg/l]     370 PPM         65 PPM        JIS K 0102 45.2
【図面の簡単な説明】
【００２６】
【図１】図１は、この発明になる流体浄化のためのフィルター用素材であって、図１Ａは、粉末炭素を発泡性プラスチックペレットとともに発泡処理して、気泡性に富んだスポンジ状の組織体に成形した例を示す概略的な断面図、図１Ｂは、粉末炭素を不織布の加工処理過程において混入し、不織布組織体に成形した例を示す概略的な断面図である。
【図２】図２は、当該フィルター用素材によって形成されるフィルターの形態例を示すものであって、図２Ａは、これをブロック状に成形した例を示す概略的な斜視図、図２Ｂは、プレート状に成形した例を示す概略的な斜視図である。
【図３】図３は、当該フィルター用素材によって形成されるフィルターの適用例を示す概略的な側断面図である。
【図４】図４は、当該フィルター用素材による第２の適用例を示す概略的な側断面図である。
【符号の説明】
【００２７】
１  スポンジ状の組織体
２  不織布組織体
３  ブロック状成形体
４  プレート状成形体
５  原水
６  整水
７、８  複数の曝気槽
９  曝気槽
１０  原水
１１  処理水
１２、１３  複数の曝気槽
１４  沈殿槽
【図１】
2006110510.tif 000003
【図２】
2006110510.tif 000004
【図３】
2006110510.tif 000005
【図４】
2006110510.tif 000006